【手続補正書】
【提出日】平成26年11月13日(2014.11.13)
【手続補正１】
【補正対象書類名】特許請求の範囲
【補正対象項目名】全文
【補正方法】変更
【補正の内容】
【特許請求の範囲】
【請求項１】
可変表示を行い表示結果を導出表示する第１可変表示手段または第２可変表示手段に特定表示結果が導出表示されたときに遊技者にとって有利な特定状態に制御する遊技機であって、
前記第１可変表示手段による可変表示よりも前記第２可変表示手段による可変表示を優先して実行し、
第１始動領域または第２始動領域を遊技媒体が通過したことを検知する検知手段と、
遊技の進行を制御する遊技制御手段と、
前記遊技制御手段からの情報にもとづいて遊技機に設けられている演出装置を制御する演出制御手段とを備え、
前記遊技制御手段は、
前記検知手段において前記第１始動領域を遊技媒体が通過したことを検知したときに前記第１可変表示手段による可変表示を行うための情報を保留記憶として記憶する第１保留記憶手段と、
前記検知手段において前記第２始動領域を遊技媒体が通過したことを検知したときに前記第２可変表示手段による可変表示を行うための情報を保留記憶として記憶する第２保留記憶手段と、
前記第１保留記憶手段または前記第２保留記憶手段に記憶された保留記憶にもとづいて、前記特定状態に制御するか否かを該保留記憶による表示結果を導出表示する以前に決定する事前決定手段と、
前記第１始動領域または前記第２始動領域を遊技媒体が通過したことにより記憶された１の保留記憶にもとづいて、前記特定状態に制御されるか否かを判定する始動時判定手段と、
前記始動時判定手段による判定結果を特定可能な特定情報を出力する特定情報出力手段と、
可変表示を行う状態として、所定状態と、該所定状態よりも遊技者にとって有利な有利状態と、を含む複数の状態のうちの１の状態に制御する状態制御手段とを含み、
前記演出制御手段は、前記特定情報にもとづいて前記始動時判定手段により前記特定状態に制御されると判定されたと特定される場合に、前記１の保留記憶よりも前に記憶された保留記憶による可変表示中に前記演出装置を用いて前記特定状態に制御されることを報知する予告演出を実行する予告演出実行手段を含み、
前記特定状態に制御されているときに前記第１保留記憶手段に記憶されている保留記憶にもとづく前記予告演出の実行を規制する第１規制手段と、
前記有利状態に制御されているときに前記第１保留記憶手段に記憶されている保留記憶にもとづく前記予告演出の実行を規制する第２規制手段とをさらに備え、
前記第２規制手段は、前記第１始動領域を遊技媒体が通過したことにもとづく前記始動時判定手段による判定処理を行わないことによって、前記予告演出の実行を規制する
ことを特徴とする遊技機。
【手続補正２】
【補正対象書類名】明細書
【補正対象項目名】０００１
【補正方法】変更
【補正の内容】
【０００１】
本発明は、遊技者にとって有利な特定状態に移行するパチンコ機等の遊技機に関する。
【手続補正３】
【補正対象書類名】明細書
【補正対象項目名】０００２
【補正方法】変更
【補正の内容】
【０００２】
遊技機として、遊技球などの遊技媒体を発射装置によって遊技領域に発射し、遊技領域に設けられている入賞口などの入賞領域に遊技媒体が入賞すると、所定個の賞球が遊技者に払い出されるものがある。さらに、識別情報を可変表示可能な可変表示部が設けられ、識別情報の可変表示の表示結果が特定の表示結果となった場合に遊技者にとって有利な特定状態に制御可能となるように構成されたものがある。
【手続補正４】
【補正対象書類名】明細書
【補正対象項目名】０００３
【補正方法】変更
【補正の内容】
【０００３】
特定状態とは、所定の遊技価値が付与された遊技者にとって有利な状態を意味する。具体的には、特定状態は、例えば、例えば可変入賞球装置の状態が打球が入賞しやすい遊技者にとって有利な状態（大当り遊技状態）、遊技者にとって有利な状態となるための権利が発生した状態、景品遊技媒体払出の条件が成立しやすくなる状態などの、所定の遊技価値が付与された状態である。
【手続補正５】
【補正対象書類名】明細書
【補正対象項目名】００１２
【補正方法】変更
【補正の内容】
【００１２】
本発明による遊技機は、可変表示を行い表示結果を導出表示する第１可変表示手段または第２可変表示手段に特定表示結果（例えば、大当り）が導出表示されたときに遊技者にとって有利な特定状態（例えば、大当り遊技状態）に制御する遊技機であって、第１可変表示手段による可変表示よりも第２可変表示手段による可変表示を優先して実行し、第１始動領域または第２始動領域を遊技媒体が通過したことを検知する検知手段と、遊技の進行を制御する遊技制御手段と、遊技制御手段からの情報にもとづいて遊技機に設けられている演出装置を制御する演出制御手段とを備え、遊技制御手段は、検知手段において第１始動領域を遊技媒体が通過したことを検知したときに第１可変表示手段による可変表示を行うための情報を保留記憶として記憶する第１保留記憶手段と、検知手段において第２始動領域を遊技媒体が通過したことを検知したときに第２可変表示手段による可変表示を行うための情報を保留記憶として記憶する第２保留記憶手段と、第１保留記憶手段または第２保留記憶手段に記憶された保留記憶にもとづいて、特定状態に制御するか否かを該保留記憶による表示結果を導出表示する以前に決定する事前決定手段と、第１始動領域または第２始動領域を遊技媒体が通過したことにより記憶された１の保留記憶にもとづいて、特定状態に制御されるか否かを判定する始動時判定手段と、始動時判定手段による判定結果を特定可能な特定情報を出力する特定情報出力手段と、可変表示を行う状態として、所定状態と、該所定状態よりも遊技者にとって有利な有利状態と、を含む複数の状態のうちの１の状態に制御する状態制御手段とを含み、演出制御手段は、特定情報にもとづいて始動時判定手段により特定状態に制御されると判定されたと特定される場合に、１の保留記憶よりも前に記憶された保留記憶による可変表示中に演出装置（例えば、演出表示装置９、ランプ・ＬＥＤ、スピーカ２７）を用いて特定状態に制御されることを報知する予告演出（例えば、図４０に示す予告演出Ｙ）を実行する予告演出実行手段を含み、特定状態に制御されているときに第１保留記憶手段に記憶されている保留記憶にもとづく予告演出の実行を規制する第１規制手段と、有利状態に制御されているときに第１保留記憶手段に記憶されている保留記憶にもとづく予告演出の実行を規制する第２規制手段とをさらに備え、第２規制手段は、第１始動領域を遊技媒体が通過したことにもとづく始動時判定手段による判定処理を行わないことによって、予告演出の実行を規制することを特徴とする。
【手続補正６】
【補正対象書類名】明細書
【補正対象項目名】００１３
【補正方法】変更
【補正の内容】
【００１３】
なお、有利状態は、所定状態よりも相対的に有利な遊技状態であればよく、例えば、所定状態が通常状態であれば確変状態や時短状態は有利な遊技状態であり、所定状態が時短状態であれば確変状態が有利な遊技状態である。また、「権利を記憶する」とは、検知手段にて検知されたことを記憶していればよく、どのような内容の情報が記憶されているかは問わない。例えば、始動入賞の回数のみ記憶する場合や、大当り・はずれの情報を記憶する場合、大当たりの決定に用いられる乱数値を記憶する場合を含むものである。
【手続補正７】
【補正対象書類名】明細書
【補正対象項目名】００１４
【補正方法】変更
【補正の内容】
【００１４】
請求項１記載の発明では、演出制御手段が、特定情報にもとづいて始動時判定手段により特定状態に制御されると判定されたと特定される場合に、１の保留記憶よりも前に記憶された保留記憶による可変表示中に演出装置を用いて特定状態に制御されることを報知する予告演出を実行する予告演出実行手段を含み、特定状態に制御されているときに第１保留記憶手段に記憶されている保留記憶にもとづく予告演出の実行を規制する第１規制手段と、有利状態に制御されているときに第１保留記憶手段に記憶されている保留記憶にもとづく予告演出の実行を規制する第２規制手段とを備えた構成とされているので、有利状態という遊技者にとって極めて有利な状態においては予告演出が実行されず、遊技者の特定状態（大当り）に対する期待感を煽って遊技の興趣の向上を保ちつつ適度な射幸性を維持することができる。